(57)【要約】【課題】  照明器具を冷却するための構造の施工作業を簡易に行うことが可能なダクト照明ユニット等を提供する。【解決手段】照明空調システム１００は、ダクト４０と、空調装置１０とを備えている。ダクト４０は、ダクト壁面構成部分５０と、発光時に発熱を伴う照明器具６０の少なくとも一部分と、が一組となって流路を構成している。空調装置１０は、ダクト４０内に空気流れＦ１を生じさせる。【選択図】        図１
2006349204.tif 000002
【特許請求の範囲】
【請求項１】
壁面構成部材（５０）と、発光時に発熱を伴う照明器具（６０）の少なくとも一部分と、が一組となって流路を構成するダクト（４０）と、
前記ダクト（４０）内に空気流れ（Ｆ１）を生じさせるための空気流れ発生部（１０）と、
を備えたダクト照明ユニット（１）。
【請求項２】
前記壁面構成部材（５０）と、前記照明器具（６０）の少なくとも一部とは一体形成されている、
請求項１に記載のダクト照明ユニット（１）。
【請求項３】
前記照明器具（６０）は、長手方向に向けて略直線上に連なるように複数配列され、
前記壁面構成部材（５０）の長手方向と、前記照明器具（６０）の長手方向とが略平行関係である、
請求項１または２に記載のダクト照明ユニット（１）。
【請求項４】
前記壁面構成部材（５０）は、前記照明器具（６０）と照射対象との間に光透過性の照射側壁面構成部材（５５）を有している、
請求項１から３のいずれか１項に記載のダクト照明ユニット（１）。
【請求項５】
前記空気流れ発生部（１０）は、照射対象空間（ＳＩ）と比較して前記ダクト（４０）内が負圧となるように前記空気流れ（Ｆ１）を生じさせる、
請求項１から４のいずれか１項に記載のダクト照明ユニット（１）。
【請求項６】
前記壁面構成部材（５０）の前記照明器具（６０）近傍部分もしくは前記照明器具（６０）のいずれか一方において、前記ダクト（４０）の長手方向に対して略垂直な方向において前記ダクト（４０）内部と照明対象空間（ＳＩ）とを連通する開口（４５）が形成されている、
請求項１から５のいずれか１項に記載のダクト照明ユニット（１）。
【請求項７】
前記照明器具（６０）は、発光体（６１）と、前記発光体（６１）を前記壁面構成部材（５０）に固定させるための固定部材（６２）とを有し、
前記空気流れ発生部（１０）は、前記ダクト（４０）内の前記空気流れ（Ｆ１）によって前記照明対象空間（ＳＩ）から前記発光体（６１）の近傍を介して前記ダクト（４０）内に向かう発光体近傍空気流れ（Ｆ２）を生じさせる、
請求項１から６のいずれか１項に記載のダクト照明ユニット（１）。
【請求項８】
前記発光体近傍空気流れ（Ｆ２）によって通過可能な前記発光体（６１）の近傍の面積は、前記発光体（６１）の長手方向の最大断面積以下である、
請求項７に記載のダクト照明ユニット（１）。
【請求項９】
前記空気流れ発生部（１０）によって前記ダクト（４０）内に提供される空気を対象として調和させている空調装置（１０）をさらに備えた、
請求項１から８のいずれか１項に記載のダクト照明ユニット（１）。
【請求項１０】
請求項９に記載のダクト照明ユニット（１）と、
前記照明器具（６０）の近傍の温度を検知するための照明温度センサ（２０）と、
を備え、
前記空調装置（１０）は、前記照明温度センサ（２０）による検知温度に基づいて前記ダクト（４０）内に調和空気と外気との少なくともいずれか一方を送る空調制御を行う制御部（１５）を有している、
を備えた照明空調システム（１００）。
【請求項１１】
外気の温度を検出するための外気温センサ（３０）をさらに備え、
前記空調装置（１０）は、外気を取り込む外気取込部（１１）と、照明対象空間（ＳＩ）の空気を取り込む照射対象空気取込部（１３）とを有し、
前記制御部（１５）は、前記外気温センサ（３０）による検知結果に基づいて前記外気取込部（１１）による外気取込量の制御と前記照射対象空気取込部（１３）による照射対象空気取込量の制御とを連動制御する、
請求項１０に記載の照明空調システム（１００）。
【発明の詳細な説明】
【技術分野】
【０００１】
本発明は、ダクト照明ユニットおよび照明空調システム、特に、発光時に発熱を伴う照明を用いたダクト照明ユニットおよび照明空調システムに関する。
【背景技術】
【０００２】
近年のスーパーやコンビニ等においては、多くの照明器具によって館内を明るく照らし、また空調装置によって館内の空調を行い、訪れる顧客に対して快適な環境を提供できるようにしている。
このような照明器具と空調装置との両方が用いられる空間では、空調装置の冷房運転時には、照明器具から生じる熱が冷房負荷の一因となっている。
【０００３】
これに対して、以下に示す特許文献１に記載の空調照明器具では、天井裏において照明器具から生ずる熱を蓄えるための熱回収箱（特許文献１の図３等参照）を空調室内機の吹出し口近傍部分に設けたものが提案されている。この空調照明器具によると、冷房運転時には熱回収箱に蓄熱されている熱を廃熱処理することで冷房負荷を低減させている。また、暖房運転時には熱回収箱に蓄熱されている熱を暖房に必要な熱の一部として有効に活用することで省エネ効果を上げている。
【特許文献１】特開平０７−２７２５３２号公報
【発明の開示】
【発明が解決しようとする課題】
【０００４】
ところが、上記空調照明装置では、熱回収箱と、空調室内機の吹出し口近傍部分と、照明器具とは、照明器具を冷却するために互いに隣接して配置される必要がある。このため、照明器具の設置場所は、空調室内機の吹出し口近傍でなければならない等、施工における制約がある。
本発明は上述した点に鑑みてなされたものであり、本発明の課題は、照明器具を冷却するための構造の施工作業を簡易に行うことが可能なダクト照明ユニットおよび照明空調システムを提供することにある。
【課題を解決するための手段】
【０００５】
第１発明に係るダクト照明ユニットは、ダクトと、空気流れ発生部とを備えている。ダクトは、壁面構成部材と、発光時に発熱を伴う照明器具の少なくとも一部分と、が一組となって流路を構成している。空気流れ発生部は、ダクト内に空気流れを生じさせる。なお、ここでのダクト内の空気流れは、空調装置等によって調和された空気によって形成される流れであってもよいし、外気が混入している空気によって形成される流れであってもよい。
【０００６】
従来のダクト照明ユニットでは、発熱を伴う照明器具を冷却するために、照明器具や空調室内機の吹出し口の設置場所が互いに近い位置でなければならず、施工における制約があるため、施工作業を容易に行うことが困難である。
これに対して第１発明のダクト照明ユニットでは、壁面構成部材と照明器具の少なくとも一部とが一組になってダクトの流路が構成されている。そして、このダクト内の流路には、空気流れ発生部によって空気流れが生じるようになっている。そして、照明器具近傍に滞留している熱は、空気流れもしくはこの空気流れに付随して生じる他の空気流れによって拡散される。これより、照明器具を冷却することで照明器具の発光に適した環境を実現できるため、省エネ効果が得られる。また、空調が冷房を行う場合における冷房負荷を低減することによる省エネ効果も得られる。
【０００７】
ここでは、以上のような省エネ効果が得られる照明器具周辺構造を、ダクトの流路を一組となって構成する壁面構成部材と照明器具とをそのまま施工するだけで実現することができる。このため、照明器具を冷却するための構造の施工作業を簡易に行うことが可能になる。
【０００８】
第２発明に係るダクト照明ユニットは、第１発明のダクト照明ユニットであって、壁面構成部材と、照明器具の少なくとも一部とは一体形成されている。
ここでは、ダクト照明ユニットの施工に際して、照明器具と壁面構成部材とが一体形成された構造体をまとめて天井に取り付けるだけで省エネ効果が得られる照明器具周辺構造を実現することができる。このため、施工作業がさらに容易になる。
【０００９】
第３発明に係るダクト照明ユニットは、第２発明のダクト照明ユニットであって、照明器具は、長手方向に向けて略直線上に連なるように複数配列されている。また、壁面構成部材の長手方向と、照明器具の長手方向とが略平行関係となっている。
ここでは、ダクトの長手方向と照明器具の長手方向とが略平行関係にあるため、照明器具の長手方向に空気流れを形成させることができる。このため、照明器具に対する空気流れ量の比率が高い配置とすることができる。これにより、照明器具の冷却を効率的に行うことが可能になる。
また、例えば、長手方向に複数連なるように照明器具が設けられている場合に、壁面構成部材と照明器具とが一体形成される場合には、特に施工作業が容易になる。
【００１０】
第４発明に係るダクト照明ユニットは、第１発明から第３発明のいずれかのダクト照明ユニットであって、壁面構成部材は、照明器具と照射対象との間に光透過性の照射側壁面構成部材を有している。
ここでは、ダクトの構成が照明器具を覆い込むことで照明器具近傍に滞留している熱を直接的に拡散して照明器具の冷却効率を向上させることができる。ここでは、このようにダクトの構成として照明器具を覆い込むような構造を採用して効率的な照明器具の冷却を行う場合であっても、光透過性の部材によって照明機能を確保することが可能になる。
【００１１】
第５発明に係るダクト照明ユニットは、第１発明から第４発明のいずれかのダクト照明ユニットであって、空気流れ発生部は、照射対象空間と比較してダクト内が負圧となるように空気流れを生じさせる。
ここでは、ダクト内を負圧にすることで、照射対象空間からの空気をダクト内に積極的に引き込むことができるようになる。これにより、照明器具近傍に空気流れを生じさせて、熱拡散効果をさらに向上させることが可能になる。
【００１２】
第６発明に係るダクト照明ユニットは、第１発明から第５発明のいずれかのダクト照明ユニットであって、壁面構成部材の照明器具近傍部分もしくは照明器具のいずれか一方において、ダクトの長手方向に対して略垂直な方向においてダクト内部と照明対象空間とを連通する開口が形成されている。
ここでは、壁面構成部材の照明器具近傍部分もしくは照明器具のいずれかに、ダクト内部と照明対象空間とを連通する開口が形成されている。このため、照明器具の近傍を通過する空気流れが形成され易く、熱拡散効果をよりいっそう向上させることが可能になる。
【００１３】
第７発明に係るダクト照明ユニットは、第１発明から第６発明のいずれかのダクト照明ユニットであって、照明器具は、発光体と、発光体を壁面構成部材に固定させるための固定部材とを有している。空気流れ発生部は、ダクト内の空気流れによって照明対象空間から発光体の近傍を介してダクト内に向かう発光体近傍空気流れを生じさせる。
ここでは、単に照明器具の近傍に空気流れを形成するだけでなく、照明器具のうち直接的に発熱原因となる発光体の近傍の空気流れを形成することができる。これにより、発光体周りにおいて滞留している熱を直接的に拡散することが可能になる。このため、熱拡散をよりいっそう効率的に行うことができる。
【００１４】
第８発明に係るダクト照明ユニットは、第７発明のダクト照明ユニットであって、発光体近傍空気流れによって通過可能な発光体の近傍の面積は、発光体の長手方向の最大断面積以下である。
例えば、壁面構成部材と照明器具との間に形成される開口があまりにも大きすぎるような場合には、ダクトを通過する空気が漏ダクト外部に漏れだしてしまう。
【００１５】
これに対して、ここでは、発光体近傍空気流れによって通過可能な発光体の近傍の面積は、発光体の長手方向の最大断面積以下となるように形成されている。このため、ダクトとしての機能を十分に保ちつつ発光体近傍の熱拡散を行うことが可能になる。
また、例えば、ダクト内部の負圧度合いを高めた場合には、壁面構成部材と発光体との細い隙間から勢いよく室内空気を取り込むことが可能になる。このような勢いのある空気流れによって発熱体近傍の熱拡散をより効果的にすることが可能になる。
【００１６】
第９発明に係るダクト照明ユニットは、第１発明から第８発明のいずれかのダクト照明ユニットであって、空調装置をさらに備えている。この空調装置は、調和させた空気を空気流れ発生部によってダクト内に提供することができる。
ここでは、例えば、温度が一定になるように調和された空気をダクト内に提供することで、より確実に照明器具の温度を発光に適した温度となるように調整することが可能になる。
【００１７】
第１０発明に係る照明空調システムは、第９発明に記載のダクト照明ユニットと、照明器具の近傍の温度を検知するための照明温度センサとを備えている。そして、空調装置は、照明温度センサによる検知温度に基づいてダクト内に調和空気と外気との少なくともいずれか一方を送る空調制御を行う制御部を有している。
ここでは、照明温度センサによって、照明器具近傍の温度雰囲気を把握できるため、この温度情報を参照しつつ空調装置による調和空気の温度や風量等を調整することができる。これにより、照明器具が発光に適した温度となるように調和空気の温度や風流等を調整した空調制御を実行することが可能になる。また、照明器具が発光に適した温度状態で維持されているか否かを把握することが可能になる。
【００１８】
なお、例えば、ダクトが複数の照明器具の各一部を利用して構成されている場合に、これらの照明器具の全部が同時に利用されている場合と、一部のみが利用されている場合とでは、熱負荷が異なることがある。また、照明器具の使い始めでは、熱負荷はそれほど高くないこともありえる。これに対して、ここでは、照明器具自体の温度を対象として空調制御を行うため、このように照明器具の発熱状態の相違を反映させた空調制御を行うことが可能になる。
【００１９】
第１１発明に係る照明空調システムは、第１０発明の照明空調システムであって、外気の温度を検出するための外気温センサをさらに備えている。空調装置は、外気を取り込む外気取込部と、照明対象空間の空気を取り込む照射対象空気取込部とを有している。制御部は、外気温センサによる検知結果に基づいて外気取込部による外気取込量の制御と照射対象空気取込部による照射対象空気取込量の制御とを連動制御する。
【００２０】
ここでは、外気温が所定の条件を満たす場合に、空調装置は、外気を積極的に取り込むように、外気取込部による取込流を制御する。また、空調装置は、この外気取込部の制御と連動させて照明対象空気取込部による取込量を制御する。このため、空調装置において、照明器具の発光に適した調和空気を調製する際に、所定の条件を満たす外気を取り込むことで、所望の混合空気を少ない消費エネルギによって作り出すことが可能になる。これにより、空調装置における省エネ効果を向上させることができる。
【００２１】
例えば、照明対象空気の温度が必要とされる調和空気の温度よりも高く、外気温度が照明対象空気の温度よりも低い場合において、外気を積極的に取込むことで、空調装置は、少ないエネルギで所望の調和空気を調製することが可能になる。
【発明の効果】
【００２２】
第１発明に係るダクト照明ユニットでは、省エネ効果が得られる照明器具周辺構造を、ダクトの流路を一組となって構成する壁面構成部材と照明器具とをそのまま施工するだけで実現することができる。このため、照明器具を冷却するための構造の施工作業を簡易に行うことが可能になる。
第２発明に係るダクト照明ユニットでは、施工作業がさらに容易になる。
【００２３】
第３発明に係るダクト照明ユニットでは、照明器具に対する空気流れ量の比率が高い配置とすることができる。これにより、照明器具の冷却を効率的に行うことが可能になる。
第４発明に係るダクト照明ユニットでは、ダクトの構成として照明器具を覆い込むような構造を採用して効率的な照明器具の冷却を行う場合であっても、光透過性の部材によって照明機能を確保することが可能になる。
【００２４】
第５発明に係るダクト照明ユニットでは、照明器具近傍に空気流れを生じさせて、熱拡散効果をさらに向上させることが可能になる。
第６発明に係るダクト照明ユニットでは、照明器具の近傍を通過する空気流れが形成され易く、熱拡散効果をよりいっそう向上させることが可能になる。
第７発明に係るダクト照明ユニットでは、発光体周りにおいて滞留している熱を直接的に拡散することが可能になる。このため、熱拡散をよりいっそう効率的に行うことができる。
【００２５】
第８発明に係るダクト照明ユニットでは、ダクトとしての機能を十分に保ちつつ発光体近傍の熱拡散を行うことが可能になる。
第９発明に係るダクト照明ユニットでは、より確実に照明器具の温度を発光に適した温度となるように調整することが可能になる。
第１０発明に係る照明空調システムでは、照明器具が発光に適した温度状態で維持されているか否かを把握することが可能になる。
【００２６】
第１１発明に係る照明空調システムでは、空調装置における省エネ効果を向上させることができる。
【発明を実施するための最良の形態】
【００２７】
＜発明の概略＞
本発明は、照明器具と空気流れ発生部とによって照明器具による発光を適した環境で実現させるダクト照明ユニットや照明空調システム等を提供する。本発明のダクト照明ユニット等では、空気流れが生じるダクトを壁面構成部材だけでなく、照明器具の位置部分を用いて一組として構成している。このため、ダクト内の空気流れを照明器具の冷却に利用することができ、照明器具の発光を適した環境で実現させるために有効となる構造のダクトの施工作業を容易に行うことができる点に特徴がある。
【００２８】
以下、本発明の照明空調システム１００について、具体的に説明する。
＜照明空調システム１００の概略構成＞
次に、本発明の一実施形態が採用された照明空調システム１００が適用されている室内エリアＳＩの外観概略図を図１に、概略上面図を図２に、それぞれ示す。
照明空調システム１００は、蛍光灯６１から生じる熱による冷房負荷を低減し、蛍光灯６１自体も効率よく発光させるためのシステムである。
【００２９】
この照明空調システム１００は、ダクト照明ユニット１が室内エリアＳＩの天井近傍に設けられて利用されるシステムであって、ダクト４０と、空調装置１０等から構成されている。照明空調システム１００では、室内空気や外気が取り込まれて調和された空気が、天井裏の照明器具６０近傍を流れて、室内エリアＳＩの下方に設けられた室内吹出口４７から吹き出されるようにして一連の空気流れが形成されている。また、ダクト照明ユニット１は、図２に示すように、室内エリアＳＩの天井部分に並列に施工され、照明器具６０の長手方向とダクト照明ユニット１の照明部ダクト４１の長手方向とが平行になるように設けられている。
【００３０】
ダクト４０は、主として、照明部ダクト４１と、吹出部ダクト４２とから構成されている。
照明部ダクト４１は、図３に示すように、ダクト壁面構成部分５０と、照明器具６０とが一体形成されることによって流路を構成している。これにより、照明部ダクト４１は、一体形成されている構造体をそのままひとまとめにして天井に対して施工することができ、施工作業が容易になるようになっている。ダクト壁面構成部分５０は、照明部ダクト４１の大部分を構成する円柱形状の部材であり、下方部分において上下に連通した照明器具６０を取り付けるための取り付け用孔と、照明部ダクト４１内部に室内エリアＳＩからの空気を取り込むための開口４５とが形成されている。照明器具６０は、蛍光灯６１と、この蛍光灯６１をダクト壁面構成部分５０に対して取り付けて一体化させるためのソケット６２とから構成されている。ここで、照明部ダクト４１は、図２に示すように、ダクト壁面構成部分５０の取り付け用孔に対して照明器具６０が取り付けられた状態で、蛍光灯６１の近傍に隙間４６が生じる状態となるように設計されている。この隙間４６を介して室内空気が照明部ダクト４１内に取り込まれ、蛍光灯６１から生じる熱を効率的に拡散させる。なお、この隙間４６周囲の構造は、図２に示すように、蛍光灯６１近傍を介して室内空気が照明部ダクト４１内に流れることが可能な面積が蛍光灯６１の長手方向の最大断面積以下となるように設計されている。すなわち、照明部ダクト４１が風上ユニット１０ａから風下ユニット１０ｂに空気を送るというダクトとして機能を十分に果たすことができるように、隙間４６は大きくなり過ぎないように形成されている。また、このように隙間４６の通過面積を小さくすることで、蛍光灯６１の近傍を通過する空気流れの勢いを増すようにすることができ、熱拡散効果を向上させている。
【００３１】
吹出部ダクト４２は、図１に示すように、照明部ダクト４１を通過した空気を室内の側壁に沿って下方に運び、室内エリアＳＩの下方に設けられた室内吹出口４７から室内エリアＳＩに対して、吹き出されるように構成されている。
空調装置１０は、図１に示すように、風上ユニット１０ａと、風下ユニット１０ｂとから構成されている。この室内空気や外気が取り込まれて風上ユニット１０ａによって調和された空気が、照明器具６０が設けられている照明部ダクト４１内を空気流れＦ１となって流れて、風下ユニット１０ｂに吸い込まれ、室内吹出口４７から室内エリアＳＩに吹き出される。
【００３２】
風上ユニット１０ａは、図４に示すように、外気を取り込むための外気吸込口１１、外気吸込ファン１２と、室内エリアＳＩの空気を取り込むための室内吸込口１３、内気吸込ファン１４が設けられている。このうち、外気吸込ファン１２と内気吸込ファン１４とはそれぞれインバーターファンであり、これらによって風上吹出ファン２５が構成されている。この風上吹出ファン２５から送出された空気は、空気流れＦ１を生じさせて、ダクト吹出口１５から照明部ダクト４１を介して、後述する風下吸込ファン１８に対して送られる。また、風上ユニット１０ａは、取り込まれる外気の温度を測定する外気温度センサ３０と、取り込まれる室内エリアＳＩの空気の温度を測定する室内空気温度センサ３１と、室内空気と外気との混合調製空気が照明部ダクト４１に対して吹き出される際の温度を測定する風上温度センサ２１とを有している。そして、安価なマイコンから構成され、後述する風下側の制御部１９と通信を行いながら、外気吸込ファン１２と内気吸込ファン１４とをそれぞれ連動させてインバーター制御によってファンの回転数を可変させて風量調整を行う。
【００３３】
風下ユニット１０ｂは、図５に示すように、照明部ダクト４１からの空気を取り込むためのダクト吸込口１７、風下吸込ファン１８が設けられている。この風下吸込ファン１８は、インバーターファンであり、制御部１９がインバーター制御によってファンの回転数が可変させて風量調製が行われる。この風下吸込ファン１８によって吸い込まれた空気は、吹出部ダクト４２を介して、室内吹出口４７から室内エリアＳＩに吹き出される。また、風下ユニット１０ｂは、照明部ダクト４１を介して取り込まれる空気の温度を測定する風下温度センサ２２を有している。そして、安価なマイコンから構成された制御部１９は、上述した風上側の制御部１６と通信を行いながら、風下吸込ファン１８をインバーター制御する。
【００３４】
このように、上記風上ユニット１０ａと風下ユニット１０ｂとが連動して制御されることで、照明部ダクト４１内を室内エリアＳＩに対して負圧状態とすることができる。これにより、室内エリアＳＩの空気を照明部ダクト４１内に開口４５や隙間４６を介して積極的に取り込むように空気流れＦ２を生じさせることができる。これにより、蛍光灯６１近傍に滞留している熱を効果的に拡散することができる。
【００３５】
また、風上ユニット１０ａと風下ユニット１０ｂとが通信しながら連動制御されることにより、風上温度センサ２１がセンシングした空気の温度と、照明部ダクト４１を介して蛍光灯６１からの熱を受けて、風下温度センサ２２によってセンシングされる空気の温度との相違および各部の風量を考慮して、空調装置１０は、蛍光灯６１近傍の温度を推測することができる。これにより、空調装置１０は、蛍光灯６１近傍部分の温度が発光に適した温度となるように、調和空気を作る。
【００３６】
＜本実施形態の照明空調システム１００の特徴＞
（１）
従来の照明空調システムでは、発熱を伴う照明器具を冷却するために、照明器具や空調室内機の吹出し口の設置場所が互いに近い位置でなければならず、施工に際して制約が伴っているため、施工作業を容易に行うことが困難である。
【００３７】
これに対して、本実施形態における照明空調システム１００では、ダクト壁面構成部分５０と照明器具６０の蛍光灯６１とが一体形成されてダクト４０の流路を形成している。そして、このダクト４０内の流路には、空調装置１０によって調和された空気による空気流れＦ１を生じさせている。これにより、照明器具６０近傍に滞留している蛍光灯６１からの熱は、空気流れＦ１もしくはこの空気流れに付随して生じる空気流れＦ２によって拡散される。したがって、蛍光灯６１を冷却することで蛍光灯６１の発光に適した環境を実現できるため、省エネ効果が得られる。また、空調装置１０が冷房運転を行う場合において冷房負荷となる照明器具６０からの発熱を直接的に低減できることによる省エネ効果も得られる。
【００３８】
ここでは、以上のような省エネ効果が得られる照明器具６０周辺構造を、ダクト壁面構成部分５０と照明器具６０とによって一体形成されている流路を有するダクト４０をそのまままとめて天井裏に施工するだけで実現することができる。このため、照明器具６０を冷却するための構造の施工作業を簡易に行うことができる。
（２）
本実施形態における照明空調システム１００では、照明器具６０の長手方向に空気流れＦ１を生じさせている。このため、１つの蛍光灯６１に対する空気流れ量の比率が高い配置とすることができる。これにより、照明器具６０の冷却を効率化できる。また、図２に示すように、長手方向に複数連なるように照明器具６０が設けられている場合に、ダクト壁面構成部分５０と照明器具６０とが一体形成されていることで、施工作業がよりいっそう容易になる。
【００３９】
（３）
本実施形態における照明空調システム１００では、風下ユニット１０ｂによって照明部ダクト４１における空気を吸い込むように空気流れＦ１を生じさせている。これにより、照明部ダクト４１内を室内エリアＳＩと比較して負圧状態としている。また、ダクト壁面構成部分５０の照明器具６０近傍部分に、照明部ダクト４１内部と室内空間ＳＩとを連通させる開口４５が形成されている。
【００４０】
したがって、室内空間ＳＩからの空気を開口４５を介して照明部ダクト４１内に積極的に引き込むことができ、照明器具６０近傍に空気流れＦ２が形成させることができ、熱拡散効果をさらに向上させることができる。
また、単に照明器具６０の近傍に空気の流れを形成するだけでなく、照明器具６０のうち直接的に発熱原因となる蛍光灯６１の近傍の空気流れＦ１を生じさせている。これにより、蛍光灯６１周りに滞留している熱の拡散を直接的に行うことができる。
【００４１】
さらに、上記照明空調システム１００のダクト照明ユニット１では、空気流れＦ２によって通過される蛍光灯６１近傍の面積は、蛍光灯６１の長手方向の最大断面積以下となるようにダクト壁面構成部分５０との隙間が小さくされている。このため、ダクト４０は流路としての機能を十分に保ちつつ蛍光灯６１近傍の熱拡散を効果的に行うことができる。また、照明部ダクト４１内部の負圧度合いを高めた場合には、ダクト壁面構成部分５０と蛍光灯６１との細い隙間から勢いの良い空気流れＦ２を取り込むことができる。このような勢いのある空気流れＦ２によって蛍光灯６１近傍の熱拡散をさらに効果的にすることができている。
【００４２】
（４）
本実施形態における照明空調システム１００では、空調装置１０の風上ユニット１０ａは、室内空気温度センサ３１と外気温度センサ３０とに基づいて空調制御を行っている。
ここでは、空調装置１０の風上ユニット１０ａは、照明器具６０の発光に適した調和空気を調製する際において外気温が所定の条件を満たす場合には、外気を積極的に取り込むように空調制御することで、混合調製空気を少ない消費エネルギによって作り出している。これにより、空調装置１０における省エネ効果を向上させている。例えば、蛍光灯６１が２５℃において最も効率よく発光するという場合に、蛍光灯６１近傍の温度が２５℃以上になっていると判断される場合において、外気温度が２５℃よりも低い場合には、外気を積極的に取込むことで、空調装置１０の風上ユニット１０ａは、少ないエネルギで所望の調和調製空気を作り出すことができる。
【００４３】
＜他の実施形態＞
以上、本発明の一実施形態について説明したが、本発明は上記実施形態に限定されるものではなく、発明の要旨を逸脱しない範囲で種々の変更が可能である。
（Ａ）
上記実施形態における照明空調システム１００では、図１、図２に示すように、照明部ダクト４１が天井裏に設けられたダクト照明ユニット１が採用された場合を例に挙げて説明した。
【００４４】
しかし、本発明はこれに限られるものではなく、図６および図７に示すように、照明空調システム２００のダクト照明ユニット１０１としては、透明のアクリル板からなる透明風流ガイド５５によって天井に設置された照明器具６０を完全に覆うような構成としてもよい。そして、このようにして覆われた空間をダクト４０として機能させるようにしてもよい。なお、他の構成は照明空調システム１００と同様である。
【００４５】
これにより、ダクト４０の構成として照明器具６０を覆い込むような構造を採用して効率的な照明器具６０の冷却を行うことが可能になる。また、このように効率的に照明器具６０の冷却を行う構造を採用する場合であっても、光透過性の透明風流ガイド５５によって照明器具６０の照明機能を十分に発揮させることができる。
（Ｂ）
上記実施形態における照明空調システム１００では、空調装置１０によって調和された空気からなる空気流れＦ１をダクト４０内に生じさせる場合を例に挙げて説明した。
【００４６】
しかし、本発明はこれに限られるものではなく、空調装置１０を設置することなく、空気調和を行わないで単に外気を導入して空気流れＦ１を生じさせる構成であってもよい。この場合でも、外気温が低い時には、蛍光灯６１を有効に冷却させることができ、効率の良い発光状態を確保することができる。
（Ｃ）
上記実施形態における照明空調システム１００では、照明器具６０の温度を測るために温度センサ２０（風上温度センサ２１と風下温度センサ２２）を設ける場合を例に挙げて説明した。
【００４７】
しかし、本発明はこれに限られるものではなく、発熱量が一定である蛍光灯６１を採用している場合には、このような温度センサを不要としてもよい。この場合には、予め蛍光灯６１から発熱する一定の発熱量を加味させて空調装置１０の空調制御を実行するようにすればよい。これにより、上記実施形態と同様の効果を得ることができる。
（Ｄ）
上記実施形態における照明空調システム１００では、風上ユニット１０ａと風下ユニット１０ｂとによってダクト４０内に空気流れＦ１を生じさせる場合を例に挙げて説明した。
【００４８】
しかし、本発明はこれに限られるものではなく、風下ユニット１０ｂのみから構成されたシステムであってもよい。このような場合であっても、照明部ダクト４１内を負圧状態とすることは可能であり、上記実施形態と同様に、蛍光灯６１周りの空気流れＦ２を積極的に生じさせることが可能になる。
（Ｅ）
上記実施形態における照明空調システム１００では、風上ユニット１０ａにおける風上温度センサ２１と、風下ユニット１０ｂにおける風下温度センサ２２とによってセンシングされる値に基づいてダクト４０内に対して提供される調和空気の温度を制御する場合を例に挙げて説明した。
【００４９】
しかし、本発明はこれに限られるものではなく、蛍光灯６１近傍において蛍光灯６１の近傍部分の温度を直接的に測定する温度センサを設けて、測定される温度が蛍光灯６１が最も適した発光状態となるように空調制御するようにしてもよい。この場合であっても、上記実施形態における効果と同様の効果を得ることができる。
なお、図２に示すように、ダクト４０の流路が複数の照明器具６０の各一部分を利用して構成されている場合に、これらの照明器具６０の全部が同時に発光している場合と、一部のみが発光している場合とでは、熱負荷が異なることがある。また、照明器具６０の使い始めでは、熱負荷はそれほど高くないこともありえる。
【００５０】
これに対して、本変形例（Ｅ）の照明空調システムでは、空調装置１０は、照明器具６０自体の温度を対象として空調制御を行うため、このように照明器具６０の発熱状態の相違を反映させて温度調整することができる。
（Ｆ）
上記実施形態における照明空調システム１００では、ダクト照明ユニット１が採用され、簡単に照明冷却構造の施工ができ、照明器具６０を発光に最適な温度として省エネ化を図る場合を例に挙げて説明した。
【００５１】
しかし、本発明はこれに限られるものではなく、図８に示すように、ワイパー式照明看板７０を最適な環境で発光させるようにしてもよい。このワイパー式照明看板７０は、内部に照明が設けられフッ素コーティングされている看板部分７１と、看板部分７１を洗浄するための洗浄ワイパー７２（上洗浄ワイパー７２ａ、下洗浄ワイパー７２ｂ）、洗浄液タンク７３、洗浄液ホース７４と、洗浄機構を可動させるために人間の手の届く位置（例えば、地上から２ｍ程度未満）に手元スイッチ７５が設けられている。
【００５２】
従来より、屋外に設けられる照明看板は消費電力量が多く、スーパーやコンビニ等においては駐車場等の照明看板による消費電力量が総消費電力量のうちの３０〜４０％にまで至ることがある。また、このような屋外の大型看板は、通常、手の届かない高さに設けられていることが多く、汚れによる照明度合いの低下が生じ、作業員が手洗いすることが困難である。
【００５３】
これに対して、上述のワイパー式照明看板７０では、手元スイッチ７５が地上から所定の高さとして人間の手の届く高さに設けられている。そして、作業員がこの手元スイッチ７５を操作することで、内部のマイコン制御が実行され、洗浄液タンク７３から洗浄液ホース７４を介して看板表面部分に対して噴射される。そして、図８に示すように、上洗浄ワイパー７２ａと、下洗浄ワイパー７２ｂとが交互に９０度回転することで看板部分７１の表面を洗浄する。これにより、屋外の人手の届かない位置に設けられている照明看板であっても、汚れによる照明度合いの低下を改善することができる。また、人手の届く位置に手元スイッチ７５が設けられているため、洗浄作業における困難性を解消することができる。
【００５４】
また、ワイパー式照明看板７０近傍に空調装置１０が設けられている場合には、空調のためのダクトの一部がワイパー式照明看板７０となるようにしてもよい。この場合には、空調のための空気流れによってワイパー式照明看板７０から生ずる熱を拡散することができ、発光状態を良好に保つことができるようになる。また、空調装置が冷房運転の場合において室内からの排気によってワイパー式照明看板７０内部の冷却を行うような構成としてもよい。
【００５５】
（Ｇ）
上記実施形態における照明空調システム１００では、ダクト照明ユニット１が採用され、簡単に照明冷却構造の施工ができ、照明器具６０を発光に最適な温度として省エネ化を図る場合を例に挙げて説明した。
しかし、本発明はこれに限られるものではなく、図９に示すように、クリーナー可動式照明縦長看板８０を最適な環境で発光させるようにしてもよい。このクリーナー可動式照明縦長看板８０は、内部に照明が設けられフッ素コーティングされている縦長形状の看板部分８１と、看板部分８１を洗浄するためのクリーナーユニット８２、洗浄機構を可動させるために人間の手の届く位置（例えば、地上から２ｍ程度未満）に手元スイッチ８５が設けられている。クリーナーユニット８２は、図９に示すように、洗浄液タンク８３と、ゴム製のワイパー８４と、洗浄液パイプ８４ａとを有しており、クリーナーユニットガイド８６に沿って設けられたクリーナーユニット上下ケーブル８７をモータ８８が移動させることでリミットスイッチ８９の位置まで可動する。洗浄液パイプ８４ａには、清掃用の水を流す等のための等間隔の小さなホールが設けられている。また、ゴム製のワイパー８４は、図９に示すように、洗浄液パイプ８４ａと一体とされ、水を流しながら洗浄することができるようになっている。
【００５６】
従来より、屋外に設けられる照明看板は消費電力量が多く、スーパーやコンビニ等においては駐車場等の照明看板による消費電力量が総消費電力量のうちの３０〜４０％にまで至ることがある。また、このような屋外の大型看板は、通常、手の届かない高さに設けられていることが多く、汚れによる照明度合いの低下が生じ、作業員が手洗いすることが困難である。
【００５７】
これに対して、上述のクリーナー可動式照明縦長看板８０では、手元スイッチ８５が地上から所定の高さとして人間の手の届く高さに設けられている。そして、作業員がこの手元スイッチ８５を操作することで、内部のマイコン制御が実行され、クリーナーユニット８２がモータ８８およびクリーナーユニット上下ケーブル８７によって上下に可動して看板表面部分に対して噴射され、看板部分８１の表面を洗浄する。これにより、屋外の人手の届かない位置に設けられている照明看板であっても、汚れによる照明度合いの低下を改善することができる。また、人手の届く位置に手元スイッチ８５が設けられているため、洗浄作業における困難性を解消することができる。
【００５８】
また、クリーナー可動式照明縦長看板８０近傍に空調装置１０が設けられている場合には、空調のためのダクトの一部がクリーナー可動式照明縦長看板８０となるようにしてもよい。この場合には、空調のための空気流れによってクリーナー可動式照明縦長看板８０から生ずる熱を拡散することができ、発光状態を良好に保つことができるようになる。また、空調装置が冷房運転の場合において室内からの排気によってクリーナー可動式照明縦長看板８０内部の冷却を行うような構成としてもよい。
【００５９】
（Ｈ）
上記実施形態における照明空調システム１００では、ダクト照明ユニット１が採用され、簡単に照明冷却構造の施工ができ、照明器具６０を発光に最適な温度として省エネ化を図る場合を例に挙げて説明した。
しかし、本発明はこれに限られるものではなく、図１０に示すように、クリーナー可動式照明横長看板９０を最適な環境で発光させるようにしてもよい。このクリーナー可動式照明横長看板９０は、内部に照明が設けられフッ素コーティングされている横長形状の看板部分９１と、看板部分９１を洗浄するためのクリーナーユニット９２、洗浄機構を可動させるために人間の手の届く位置（例えば、地上から２ｍ程度未満）に手元スイッチ（図示しないが上述した手元スイッチ８５と同様）が設けられている。クリーナーユニット９２は、図１０に示すように、洗浄液タンク９３と、ゴム製のワイパー９４とを有しており、クリーナーユニット・ガイドレール９６に沿って設けられたクリーナーユニット移動ケーブル９７をモータ９８が移動させることでリミットスイッチ９９の位置まで可動する。ゴム製のワイパー９４は、図１０に示すように、洗浄液タンク９３から噴出されるゴム製のワイパー９４と一体とされ、クリーナーユニット９２が移動することで、洗浄液タンク９３から洗浄液を出しながらゴム製のワイパー９４で洗浄できるようになっている。
【００６０】
従来より、屋外に設けられる照明看板は消費電力量が多く、スーパーやコンビニ等においては駐車場等の照明看板による消費電力量が総消費電力量のうちの３０〜４０％にまで至ることがある。また、このような屋外の大型看板は、通常、手の届かない高さに設けられていることが多く、汚れによる照明度合いの低下が生じ、作業員が手洗いすることが困難である。
【００６１】
これに対して、上述のクリーナー可動式照明横長看板９０では、作業員が図示しない手元スイッチを操作することで、内部のマイコン制御が実行され、クリーナーユニット９２がモータ９８およびクリーナーユニット移動ケーブル９７によって左右に可動して、看板部分８１の表面を洗浄する。これにより、屋外の人手の届かない位置に設けられている照明看板であっても、汚れによる照明度合いの低下を改善することができる。また、人手の届く位置に図示しない手元スイッチが設けられているため、洗浄作業における困難性を解消することができる。
【００６２】
また、クリーナー可動式照明横長看板９０近傍に空調装置１０が設けられている場合には、空調のためのダクトの一部がクリーナー可動式照明横長看板９０となるようにしてもよい。この場合には、空調のための空気流れによってクリーナー可動式照明横長看板９０から生ずる熱を拡散することができ、発光状態を良好に保つことができるようになる。また、空調装置が冷房運転の場合において室内からの排気によってクリーナー可動式照明横長看板９０内部の冷却を行うような構成としてもよい。
【産業上の利用可能性】
【００６３】
本発明によれば、照明器具を冷却するための構造の施工作業を簡易に行うことが可能になるため、発光時に発熱する照明器具による照明対象空間と空調対象空間とが共通しているスーパーやコンビニ等への適用が特に有用である。
【図面の簡単な説明】
【００６４】
【図１】本発明の照明空調システムが適用される空間のモデル図。
【図２】ダクト照明ユニットの概略断面図。
【図３】ダクト照明ユニットの概略上面図。
【図４】風上ユニットの構成図。
【図５】風下ユニットの構成図。
【図６】変形例（Ａ）に係るダクト照明ユニットの概略断面図。
【図７】変形例（Ａ）に係るダクト照明ユニットの概略上面図。
【図８】ワイパー式照明看板の洗浄の例を示す図。
【図９】クリーナー可動式照明縦長看板の洗浄の例を示す図。
【図１０】クリーナー可動式照明横長看板の洗浄の例を示す図。
【符号の説明】
【００６５】
１    ダクト照明ユニット
１０    空調装置（空気流れ発生部）
１１    外気吸込口（外気取込部）
１３    室内吸込口（照射対象空気取込部）
１５    制御部
２０    照明温度センサ
３０    外気温センサ
４０    ダクト
４５    開口
５０    ダクト壁面構成部分（壁面構成部材）
５５    透明風流ガイド（照射側壁面構成部材）
６０    照明器具
６１    蛍光灯（発光体）
６２    ソケット（固定部材）
１００    照明空調システム
Ｆ１    空気流れ
Ｆ２    蛍光灯近傍空気流れ（発光体近傍空気流れ）
ＳＩ    照明対象空間
【図１】
2006349204.tif 000003
【図２】
2006349204.tif 000004
【図３】
2006349204.tif 000005
【図４】
2006349204.tif 000006
【図５】
2006349204.tif 000007
【図６】
2006349204.tif 000008
【図７】
2006349204.tif 000009
【図８】
2006349204.tif 000010
【図９】
2006349204.tif 000011
【図１０】
2006349204.tif 000012